【手続補正書】
【提出日】平成27年2月18日(2015.2.18)
【手続補正１】
【補正対象書類名】特許請求の範囲
【補正対象項目名】全文
【補正方法】変更
【補正の内容】
【特許請求の範囲】
【請求項１】
第１表示情報を生成する第１アプリケーションソフトウエアが動作するサーバーと、
第２アプリケーションソフトウエアで第２表示情報を生成する演算処理部、前記サーバーから取得した前記第１表示情報と前記第２表示情報とを合成して第３表示情報を生成する情報合成部、および前記第２アプリケーションソフトウエアで生成した印刷情報を印刷する印刷部を有して前記サーバーと第１ネットワークを介して通信接続されるプリンターと、
前記第３表示情報を取得して表示する表示部を有して第２ネットワークを介して前記プリンターと通信接続される情報端末と、
を備えることを特徴とする印刷システム。
【請求項２】
前記情報端末は、前記第１アプリケーションソフトウエアに入力される第１情報と前記第２アプリケーションソフトウエアに入力される第２情報とを受け付ける入力部、および前記入力部に入力された前記第１情報と前記第２情報とを前記プリンターに送信する送信部を備え、
前記プリンターは、前記情報端末からの前記第１情報を前記サーバーに送信する通信中継部を備える請求項１に記載の印刷システム。
【請求項３】
前記プリンターは、前記サーバーとの接続状態を監視する接続監視部、および前記サーバーとの接続が切断されたことが検知されると前記入力部による前記第１情報の受け付けもしくは前記サーバーへの送信を停止する入出力停止部を備える請求項２に記載の印刷システム。
【請求項４】
前記情報合成部は、前記接続監視部で前記サーバーとの接続が切断されたことが検知されると、前記情報端末からの前記第１情報の入力を受け付けないことを示す入力停止情報を前記第２表示情報と合成して前記第３表示情報とする請求項３に記載の印刷システム。
【請求項５】
前記通信中継部は、前記第１情報を前記サーバーに送信する際に前記接続監視部で前記サーバーとの接続が切断されたことが検知されると前記第１情報を記憶保持し、前記サーバーとの接続が確認された後に前記第１情報を前記サーバーに送信する請求項３または４に記載の印刷システム。
【請求項６】
前記第１アプリケーションソフトウエアは、第２の印刷情報を生成して前記プリンターに送信し、
前記印刷部は、前記第２の印刷情報の印刷可否・印刷範囲・印刷位置及び印刷タイミングを制御して前記印刷情報と合成して印刷する印刷制御部を備える請求項２ないし５のうちのいずれか１項に記載の印刷システム。
【請求項７】
第１ネットワークを介してサーバーと通信接続する第１通信部と、
第２ネットワークを介して情報端末と通信接続して前記情報端末から第１アプリケーションソフトウエアに入力される第１情報および第２情報を受信する第２通信部と、
前記第２情報を入力する第２アプリケーションソフトウエアを動作させる演算処理部と、
前記第１ネットワークを介して前記サーバーと通信接続して前記サーバーで動作する前記第１アプリケーションソフトウエアで生成された第１表示情報を取得し、前記第１表示情報と前記第２アプリケーションソフトウエアで生成された第２表示情報とを合成して前記情報端末で表示する第３表示情報を生成する情報合成部と、
前記第２アプリケーションソフトウエアで生成された印刷情報を印刷する印刷部と、
前記情報端末からの前記第１情報を、前記第１ネットワークを介して前記サーバーに送信する通信中継部と、
を備えることを特徴とするプリンター。
【請求項８】
前記サーバーとの接続状態を監視する接続監視部と、
前記接続監視部で前記サーバーとの接続が切断されたことが検知されると、前記入力部による前記第１情報の受け付けおよび前記サーバーへの送信の少なくともいずれかを停止する入出力停止部と、を備え、
前記情報合成部は、前記接続監視部で前記サーバーとの接続が切断されたことが検知されると、前記情報端末からの前記第１情報の入力を受け付けないことを示す入力停止情報を前記第２表示情報と合成して前記第３表示情報とする請求項７に記載のプリンター。
【手続補正２】
【補正対象書類名】明細書
【補正対象項目名】０００６
【補正方法】変更
【補正の内容】
【０００６】
上記の課題を解決するために、本発明の印刷システムは、
第１表示情報を生成する第１アプリケーションソフトウエアが動作するサーバーと、
第２アプリケーションソフトウエアで第２表示情報を生成する演算処理部、前記サーバーから取得した前記第１表示情報と前記第２表示情報とを合成して第３表示情報を生成する情報合成部、および前記第２アプリケーションソフトウエアで生成した印刷情報を印刷する印刷部を有して前記サーバーと第１ネットワークを介して通信接続されるプリンターと、
前記第３表示情報を取得して表示する表示部を有して第２ネットワークを介して前記プリンターと通信接続される情報端末と、備えていることを特徴とする。
【手続補正３】
【補正対象書類名】明細書
【補正対象項目名】０００８
【補正方法】変更
【補正の内容】
【０００８】
本発明において、前記情報端末は、前記第１アプリケーションソフトウエアに入力される第１情報と前記第２アプリケーションソフトウエアに入力される第２情報とを受け付ける入力部、および前記入力部に入力された前記第１情報と前記第２情報とを前記プリンターに送信する送信部を備え、前記プリンターは、前記情報端末からの前記第１情報を前記サーバーに送信する通信中継部を備えていることが望ましい。このようにすれば、情報端末から、サーバーで動作する第１アプリケーションソフトウエアに対する入力およびプリンターで動作する第２アプリケーションソフトウエアに対する入力の双方が可能となる。
【手続補正４】
【補正対象書類名】明細書
【補正対象項目名】０００９
【補正方法】変更
【補正の内容】
【０００９】
本発明において、前記プリンターは、前記サーバーとの接続状態を監視する接続監視部、および前記サーバーとの接続が切断されたことが検知されると前記入力部による前記第１情報の受け付けもしくは前記サーバーへの送信を停止する入出力停止部を備えていることが望ましい。このようにすれば、第１ネットワークの回線が切断されたときに、情報端末からの第１アプリケーションソフトウエアに対する入力、或いは、プリンターからサーバーへの送信が停止される。従って、第１ネットワークが介在するトランザクションの発生を回避できる。
【手続補正５】
【補正対象書類名】明細書
【補正対象項目名】００１０
【補正方法】変更
【補正の内容】
【００１０】
この場合において、前記情報合成部は、前記接続監視部で前記サーバーとの接続が切断されたことが検知されると、前記情報端末からの第１情報の入力を受け付けないことを示す入力停止情報を前記第２表示情報と合成して前記第３表示情報とすることが望ましい。このようにすれば、情報端末から第１アプリケーションソフトウエアを利用することかできなくなったことを、情報端末を操作するオペレーターに知らせることができる。
【手続補正６】
【補正対象書類名】明細書
【補正対象項目名】００１３
【補正方法】変更
【補正の内容】
【００１３】
また、この場合において、前記通信中継部は、前記第１情報を前記サーバーに送信する際に前記接続監視部で前記サーバーとの接続が切断されたことが検知されると前記第１情報を記憶保持し、前記サーバーとの接続が確認された後に前記第１情報を前記サーバーに送信する構成を採用することもできる。このようにすれば、第１情報が情報端末に入力された後に第１ネットワークの回線が切断された場合において、回線が復旧した後に第１情報をサーバーに送信し、第１アプリケーションソフトウエアに第１情報に基づく情報処理を行わせることが可能となる。
【手続補正７】
【補正対象書類名】明細書
【補正対象項目名】００１５
【補正方法】変更
【補正の内容】
【００１５】
本発明において、前記第１アプリケーションソフトウエアは、第２の印刷情報を生成して前記プリンターに送信し、前記印刷部は、前記第２の印刷情報の印刷可否・印刷範囲・印刷位置及び印刷タイミングを制御して前記印刷情報と合成して印刷する印刷制御部を備えることが望ましい。このようにすれば、サーバーで動作する第１アプリケーションソフトウエアが印刷処理を行うことができる。
【手続補正８】
【補正対象書類名】明細書
【補正対象項目名】００１９
【補正方法】変更
【補正の内容】
【００１９】
次に、本発明のプリンターは、
第１ネットワークを介してサーバーと通信接続する第１通信部と、
第２ネットワークを介して情報端末と通信接続して前記情報端末から第１アプリケーションソフトウエアに入力される第１情報および第２アプリケーションソフトウエアに入力される第２情報を受信する第２通信部と、
前記第２情報を入力する第２アプリケーションソフトウエアを動作させる演算処理部と、
前記第１ネットワークを介して前記サーバーと通信接続して前記サーバーで動作する前記第１アプリケーションソフトウエアで生成された第１表示情報を取得し、前記第１表示情報と前記第２アプリケーションソフトウエアで生成された第２表示情報とを合成して前記情報端末で表示する第３表示情報を生成する情報合成部と、
前記第２アプリケーションソフトウエアで生成された印刷情報を印刷する印刷部と、
前記情報端末からの前記第１情報を、前記第１ネットワークを介して前記サーバーに送信する通信中継部と、を備えることを特徴とする。
【手続補正９】
【補正対象書類名】明細書
【補正対象項目名】００２１
【補正方法】変更
【補正の内容】
【００２１】
本発明において、前記サーバーとの接続状態を監視する接続監視部と、前記接続監視部で前記サーバーとの接続が切断されたことが検知されると、前記入力部による前記第１情報の受け付けおよび前記サーバーへの送信の少なくともいずれかを停止する入出力停止部と、を備え、前記情報合成部は、前記接続監視部で前記サーバーとの接続が切断されたことが検知されると、前記情報端末からの前記第１情報の入力を受け付けないことを示す入力停止情報を前記第２表示情報と合成して前記第３表示情報とすることが望ましい。このようにすれば、サーバーとの接続が切断された場合に、サーバーとの間でトランザクションが発生することを防止できる。また、サーバーとの接続が切断された場合に、第１アプリケーションソフトウエアを利用することができなくなったことをプリンターに接続された情報端末に表示できる。